(57)【要約】【課題】不可視の付記印を含む押印が行えて書類に押印された可視の印影についての真贋の判定を行うに際して、専用検証器で付記印を確認することで直ちに真贋を判定できる浸透式印鑑を提供すること。【解決手段】印字体等保持枠１１と、印字体等保持枠１１の下端に保持され印面に可視情報の印相が刻設される連続多孔質体よりなる第１の印字体１２と、印字体等保持枠１１の下端に第１の印字体１２と並んで保持され印面に不可視情報の印相が刻設される連続多孔質体よりなる第２の印字体１３と、印字体等保持枠１１内の第１の印字体１２の上に設けられ第１の印字体１２に供給する可視インクを貯留する第１のインクタンク１４と、印字体等保持枠１１内の第２の印字体１３の上に設けられ第２の印字体１３に供給する不可視インクを貯留する第２のインクタンク１５と、を備え、第１の印字体に含浸する可視インクが第２の印字体に含浸不可であるように設けられている。【選択図】図２
2010120313.tif 000002
【特許請求の範囲】
【請求項１】
印字体等保持枠と、
前記印字体等保持枠の下端に保持され印面に可視情報の印相が刻設される連続多孔質体よりなる第１の印字体と、
前記印字体等保持枠の下端に前記第１の印字体と並んで保持され印面に不可視情報の印相が刻設される連続多孔質体よりなる第２の印字体と、
前記印字体等保持枠内の前記第１の印字体の上に設けられ該第１の印字体に供給する可視インクを貯留する第１のインクタンクと、
前記印字体等保持枠内の前記第２の印字体の上に設けられ前記第２の印字体に供給する不可視インクを貯留する第２のインクタンクと、を備え、
前記第１の印字体に含浸する可視インクが前記第２の印字体に含浸不可であるように設けられている、
ことを特徴とする浸透式印鑑。
【請求項２】
前記第２のインクタンクに貯留される不可視インクには、感熱により透明から可視色になる感熱可視インクを含んでいる、ことを特徴とする請求項１に記載の浸透式印鑑。
【請求項３】
前記第１のインクタンクと前記第２のインクタンクにそれぞれインク補給口を備えている、ことを特徴とする請求項１又は２に記載の浸透式印鑑。
【発明の詳細な説明】
【技術分野】
【０００１】
本発明は、セキュリティを確保できる浸透式印鑑に関する。
【背景技術】
【０００２】
今日では、コンピュータによる画像処理が高性能となったこと及び彫刻装置により高精細な彫刻が可能になったことから、印鑑の印影の偽造が容易となっている。従来、印影の真贋についての判定は、例えば、正規に使用され登録され、あるいは保管管理された印影（以下、真正な印影という）の書類を取り出してきて、該印影の書面の上に、真贋の判定対象に係る押印の書面を重ね、上側に重ねた書面について捲りと重ねを繰り返すことにより、上下に重ねた２つの印影がぴったりと重なるか否かを視覚判断で行っているので、真正な印鑑及び印影の鑑別は依然として困難であり、印鑑及び印影の盗用が大きな社会問題となっている。印影については、書面として流通するので人目に晒され、不特定の人に渡ることが多いので、盗用される機会が多く存在する。
【０００３】
印影の盗用防止のための一の方法は、書面に押印された印影の真贋を容易に分かるようにすることである。そこで、複数の印相を選択的に形成することができセキュリティを確保できる印鑑が提案されている（特許文献１、特許文献２）。特許文献１に記載された印鑑は、印面を有する印鑑本体の外周に、円環状の印面を有する複数の外層部を回転自在に備え、各外層部に対応して設けられた複数のダイヤルを回転し数値の組み合わせを選択すると、印鑑本体の印面と複数の外層部の印面が一つの印相を形成するので、仕舞っておくときにダイヤルを回転して異なった数値の組み合わせを選択しておくと、盗難されても不正使用による危険性を大幅に低減することができ、同時に、所有者やその使用が許諾された人にとって、容易に正しい印相を形成することができる。特許文献２に記載された印鑑もほぼ同一の構成である。
【０００４】
他に、盗用偽造・防止に有効な印鑑として、例えば、印面が形成された印部と持ち手部とからなり、印面に印影部が刻設されると共に、当該印面内の非印影部に、印面と削底面との間の中間位に至る高さを備え且つ平面形状が円又は多角形の組み合わせからなる単一の方向性を有した形状の識別部が刻設された印鑑が提案されている（特許文献３参照）。
【０００５】
印影の盗用防止のための他の方法は、印鑑が盗用されたものであるか否かが印鑑使用の時点で直ちに分かるようにすることであり、コンピュータによるデータ管理が可能なＲＦＩＤを埋め込んだ電子印鑑が提案されている（特許文献４参照）。
【０００６】
【特許文献１】特開２００７−１５１１２号公報
【特許文献２】実用新案登録第３０７８２３３号公報
【特許文献３】実用新案登録第３１２５３７０号公報
【特許文献４】特開２００２−１９７０６６号公報
【発明の開示】
【発明が解決しようとする課題】
【０００７】
しかしながら、特許文献１、特許文献２に記載された印鑑は、印影を見られてしまうと、盗用した印鑑を使用時の印相となるようにセットできるという問題がある。特許文献３に記載された印鑑でも高精細な彫刻が行える電子彫刻機によれば製作可能である。特許文献４に記載された電子印鑑は、印鑑使用時（押印の際）に印鑑自体の真贋を判定できるものであり、書類として出回っている印影についての真贋の判定には関与し得ない。
【０００８】
他方、各種の証明機関の行う証明や個人間取引で行う証明について、証明に係る印鑑で書面に押印した印影が模倣盗用されないようにするために、該証明に係る印鑑を書面に押印する際に、目に見えない証明能力のあるマークやコード等の付記印を付記押印することができる仕組みの提供が要望されている。すなわち、該証明に係る印鑑に不可視の付記印が仕組まれていることにより、書面に押印された印影が真正であるかどうかの判断を専用検証器で付記印を確認することができる仕組みの提供が要望されている。
【０００９】
本発明は、上述した点にかんがみ案出されたもので、その目的とするところは、不可視の付記印を含む押印が行えて書類に押印された可視の印影についての真贋の判定を行うに際して、専用検証器で付記印を確認することで直ちに真贋を判定できる浸透式印鑑を提供することにある。
【課題を解決するための手段】
【００１０】
上記課題を解決するため、本発明の浸透式印鑑は、前記印字体等保持枠に、印面に可視情報の印相が刻設される連続多孔質体よりなる第１の印字体と、印面に不可視情報の印相が刻設される連続多孔質体よりなる第２の印字体と、前記第１の印字体の内方に設けられ該第１の印字体に含浸供給する可視インクを貯留する第１のインクタンクと、前記第２の印字体の内方に設けられ前記第２の印字体に含浸供給する不可視インクを貯留する第２のインクタンクと、前記第１の印字体と前記第２の印字体と前記第１のインクタンクと前記第２のインクタンクを保持する印字体等保持枠と、を備えた、ことを特徴とする。
【００１１】
第２の印字体の印面に刻設される印相となる不可視情報としては、任意のオリジナルなマークやＩＤ番号、バーコード、ＱＲコード等の二次元コード、真似されにくい特有の幾何学模様等の少なくとも１種と、これらの位置と向きと大きさと形状等の組み合わせとして形成することができる。
【００１２】
上記構成によれば、書面への押印を行うと、第１の印字体により可視インクの可視情報が押印されるとともに、第２の印字体により不可視インクの不可視情報が押印される。不可視情報は、専用検証器により確認できるので、可視情報の印影が真正であるかどうかについて、印影を直接の判別の対象としないで、第三者に知られていない不可視情報を専用検証器で確認することを通じて印影が真正であるかどうかを判別できる。
専用検証器は、不可視情報がＩＤ番号やバーコード又は二次元コードである場合には、赤外線あるいは紫外線を照射して反射光を読み取り情報を取得するリーダが用いられ、データベースに格納されたコード情報と照合して一致・不一致をモニタに映して確認でき、また不可視情報が任意のオリジナルなマークや幾何学模様等で例えば赤外線あるいは紫外線を放射するインクで押印されたものである場合には、赤外線あるいは紫外線に感応するデジタルカメラで撮影しモニタに映して真正な不可視情報であるかどうかを確認できる。
【発明の効果】
【００１３】
本発明によれば、本発明の浸透式印鑑で書面に押印すると、可視部の印影と不可視部の印影とが押印されるので、不正を行おうとする者が該書面を入手して押印の可視部の印影を写し取ってそっくり同一の印影の印鑑を作り盗用したとしても、盗用した印鑑を押印した書面には不可視部の印影が存在しないことを専用検証器で確認することができ、もって、書類に押印された可視部の印影について、関係者だけで真贋の判定を容易に行うことができ、告知費用・手間が少ないセキュリティが図れる浸透式印鑑を提供することができ、さらに、電子印鑑との組合わせも可能である。
【発明を実施するための最良の形態】
【００１４】
以下、本発明の実施形態に係る浸透式印鑑について図面を参照して説明する。
【００１５】
〔第１の実施形態〕
まず、構成を説明する。図１、図２に示すように、浸透式印鑑１Ａは、印字体等保持枠１１と、第１の印字体１２と、第２の印字体１３と、第１のインクタンク１４と、第２のインクタンク１５と、第１のインクタンク１４と第２のインクタンク１５にそれぞれ連通するインク補給口１６、１７とを備えてなる。
【００１６】
印字体等保持枠１１は、この実施形態では、保持枠本体１１ａと、保持リング１１ｂ、ホルダ１１ｃと、キャップ１１ｄとを備えてなる。保持枠本体１１ａには、下面側に凹部を有し該凹部を、第１のインクタンク１４と第１の印字体１２とを収容する凹部と、第２のインクタンク１５と第２の印字体１３とを収容する凹部とに区画する区画壁１８があり、各凹部に、第１のインクタンク１４と第２のインクタンク１５を先に収容し、後から第１の印字体１２と第２の印字体１３を重ねて収容する。区画壁１８の下面は印面より僅かに引っこんで設けられる。保持リング１１ｂは、第１のインクタンク１４に積層される第１の印字体１２及び第２のインクタンク１５に積層される第２の印字体１３を押え付けた状態に保持枠本体１１ａに被嵌固定される。ホルダ１１ｃは、インク補給口１６、１７を含んで成形されていて、インク補給口１６、１７の下端が保持枠本体１１ａの上面に開口されたインク入口に嵌合するように、保持枠本体１１ａの上端に被嵌される。キャップ１１ｄは、ホルダ１１ｃの上端開口を閉じて被嵌される。キャップ１１ｄの内側には、必要に応じてインクカートリッジ１９、２０がインク補給口１６、１７に嵌着される。
【００１７】
第１の印字体１２は、連続多孔質体よりなり、第１のインクタンク１４から朱色或いは青色等の可視インクが毛管現象を利用して供給される。第１の印字体１２の印面（下面）には可視情報の印相（印影と逆の表示）が刻設される。可視情報の印相を構成する、該可視情報として、図１には、名称等の文字情報ａ１と、ＩＤ等の数字情報ａ２と、輪郭線ａ３とが凸部として残るようにレーザ加工により印字刻設される。
第２の印字体１３は、連続多孔質体よりなり、印字体等保持枠１１の下端に第１の印字体１２と並んで一平面となるように保持され、印面に不可視情報の印相として、ここではバーコードｂが凸部として残るようにレーザ加工により刻設される。
【００１８】
第１の印字体１２と第２の印字体１３を構成する連続多孔質体は、例えば、アクリロニトリル−ブタジエン共重合体（ニトリル含量３１〜４２％）等のゴム、ポリエチレン、ポリプロピレン、ポリオレフィン、ポリウレタン等の熱可塑性樹脂、あるいは、ポリエチレン−エチレン―プロピレンゴムからなるオレフィン系熱可塑性エラストマーを、塩化ナトリウム等可溶性微粉末、加硫剤、充填剤、添加剤などを配合混練し、必要に応じて加硫し、成形後、可溶性微粉末を除去してなる。
【００１９】
第１の印字体１２を構成する連続多孔質体の微小ホールと、第２の印字体１３を構成する連続多孔質体の微小ホールは、通流させる液体が可視インクと不可視インクの相異がありかつ両インクの流動性、粘性に相違があるので、必要に応じてホール径を相違させるのが良い。
【００２０】
第１の印字体１２と第２の印字体１３は、最初からそれぞれに可視インク又は不可視インクが含浸したものを備えることができるが、それぞれを第１のインクタンク１４と第２のインクタンク１５に重ねた後に、対応するインクタンクに含浸貯留された可視インク又は不可視インクを毛細管現象を利用して含浸させる構成であっても良い。
多孔質印字体にインクを充填するには、例えば、インクを含浸させたインクタンクと多孔質印字体の間にプラスチックフィルムを挟んで両者を隔離しつつ当接させた後に極性溶剤を含有するインクをインクタンクへ含浸させる方法や、極性溶剤を含有するインクを保持させたインクタンクをプラスチックフィルムで覆った後に当該インクタンクと多孔質印字体を接触させる方法や、プラスチックフィルム製容器に直接インクを保持させる方法などがある。
【００２１】
第１のインクタンク１４は、印字体等保持枠１１内の第１の印字体１２の上に設けられ第１の印字体１２に供給する可視インクを貯留する。可視インクとして、着色剤に染料や顔料を使用した水性インク又は油性インクを用いる。特に、接着剤に対して反応性の高い不揮発性溶剤をベースとする油性インクを用いるのが好ましい。
【００２２】
第２のインクタンク１５は、印字体等保持枠１１内の第２の印字体１３の上に設けられ第２の印字体１３に供給する不可視インクを貯留する。不可視インクとして、赤外線あるいは紫外線を放射又は吸収するインクを用いる。また、不可視インクには、赤外線等が照射されると可視光線を発する性質を有する透明な蛍光インクを用いることができる。さらに、不可視インクには、簡易フィルタを重ねると隠れていた文字・パターンが現われるコバートインクや、通常可視光線下では透明で見えず紫外線ランプ（ブラックライト）を照射することで発光するインク、感熱変色インクで印刷された不可視部分を指で素早く擦り発熱させると透明色から可視色に変色して付記印が一定時間現れる感熱変色インク等を用いることができる。
【００２３】
第１のインクタンク１４と第２のインクタンク１５は、例えばシリコーンゴムを用い、公知の溶出法によって連続気泡化したシリコーンゴム製多孔質体を切断してなる。該インクタンクは、第１の印字体１２と第２の印字体１３を構成する連続多孔質体よりも気孔径・気孔率が共に大きく毛細管現象により多孔質印字体へインクを移行することができるように設定しておく。なお、インクタンクの下面にマイクロ波吸収発熱膜を形成したポリエチレンフィルム（ＬＤＰＥ）を配し、エチレングリコールとヒマシ油を主溶剤とするインクを滴下し、インクタンクにインクを含浸させ、マイクロ波を照射してポリエチレンフィルムを溶かし、第１のインクタンク１４と第２のインクタンク１５のインクを第１の印字体１２又は第２の印字体１３に移行させることができる。
【００２４】
浸透式印鑑１Ａは、第１の印字体に含浸する可視インクが第２の印字体に含浸不可であるように設けられている。第１の印字体に含浸する可視インクが第２の印字体に含浸する構成は、可視インクが不可視インクに混ざることにより、浸透式印鑑１Ａで押印した印影が、第２の印字体の印相の押印部分についても可視状態になるので、回避しなければならない。かかる回避の構造は、例えば、第１の印字体と第２の印字体とが非接触に備えられるか、仕切り壁が設けられるか、あるいは、第１の印字体と第２の印字体の少なくとも一方の周壁にインク不透膜を形成することなどでも良い。
【００２５】
第１のインクタンク１４と、第２のインクタンク１５のそれぞれに対応して、上述したようにホルダ１１ｃに形成されたインク補給口１６、１７を備えているので、第１のインクタンク１４にはインク補給口１６を通して可視インクを補給し、第２のインクタンク１５にはインク補給口１７を通して不可視インクを補給する。さらに、上述したようにインク補給口１６とインク補給口１７に、インクカートリッジ１９、２０を備えることができる。
【００２６】
上記構成によれば、書面へ押印すると、可視部の印影と不可視部の印影とが押印第１の印字体の印面により可視インクの可視情報が押印されるとともに、第２の印字体の印面により不可視インクの不可視情報が押印される。不可視情報としては、ＩＤ番号、バーコード、ＱＲコード等の二次元コード、特有の幾何学模様等の少なくとも１種と、これらの位置と向きと大きさと形状等の組み合わせとして、可視情報の印影が真正であるかどうかについて、印影を直接の判別の対象としないで、第三者に知られていない不可視情報をリーダあるいはモニタで確認することを通じて印影が真正であるかどうかを判別でき、可視情報とともに押印された不可視情報をリーダあるいはモニタで確認するにより判別でき、セキュリティを確保できる。
図１では、第１の印字体１２に刻設される可視情報の印相部分は、「○○協会」の文字とこれを囲んでいるサークルであり、第１の印字体１２に可視インクが含浸されているから、書面に押印されると、図３（ａ）に示す可視情報の印影ｃ１、ｃ２、ｃ３となる。第２の印字体１３に刻設される不可視情報の印相部分は、バーコードであり、第２の印字体１３に不可視インクが含浸されているから、書面に押印されると、図３（ａ）に示すように不可視（ｄの位置）であるが、専用検証器のモニタには、図３（ｂ）に示すように、可視情報の印影ｃ１、ｃ２、ｃ３とともに不可視情報であるバーコードの印影ｅが可視表示される。
【００２７】
〔第２の実施形態〕
図４（ａ）は、第２の実施形態に係る浸透式印鑑１Ｂの印面を視た下面図である。図４（ａ）に示すように、印字体等保持枠２１は、円形の第１の印字体２２を、該第１の印字体２２の周囲に円環状の第２の印字体２３を同一平面の印面となるように保持している。図示例では、第１の印字体２２に刻設される可視情報の印相部分は、「特許太郎印」の文字とこれを囲んでいるサークルであり、第１の印字体２２に可視インクが含浸されているから、書面に押印されると、図４（ｂ）に示す可視情報の印影ｆとなる。第２の印字体２３に刻設される不可視情報の印相部分は、「☆」の記号とその背景にある細線と「１」、「３」、「４」、「５」の数字であり、第２の印字体２３に不可視インクが含浸されているから、書面に押印されると、図４（ｂ）に示すように不可視であるが、専用検証器のモニタには、図４（ｃ）に示すように、可視情報の印影ｆとともに不可視情報の印影ｇが可視表示される。図示していないが、第１の印字体２２に重なる第１のインクタンクと、第２の印字体２３に重なる第２のインクタンクと、第１のインクタンクと第２のインクタンクにそれぞれ連通するインク補給口等は、第１の実施形態と同様に備えられる。
なお、専用検証器のモニタに可視情報の印影が現れないように該専用検証器を構成することもできる。
【００２８】
〔その他の実施形態〕
本発明は、上記の実施形態に限定されるものでなく、特許請求の範囲に記載された発明の要旨を逸脱しない範囲内での種々、設計変更した形態を技術的範囲に含まれるものである。
【００２９】
例えば、不可視情報の印相を形成する複数の第２の印字体が、可視情報の印相を形成する第１の印字体の中の分散して備えられる場合も、技術的範囲に含まれる。本発明の浸透式印鑑は、純正品の証明に用いることができる。
【００３０】
生産ラインで最終検査で合格した製品（完成品や部品）について、生産ラインの末端で純正品であることを証明する可視インクによる印字と、不可視インクによる印字を行うことにより、純正品であることを証明することができ、製品に対する押印は、製品を停止させて押印する場合と、ロボットハンドで浸透式印鑑を把持しラインを流れる製品の速度を同調させて押印する場合のいずれでも良い。
【図面の簡単な説明】
【００３１】
【図１】一実施形態に係る浸透式印鑑の印面を視た下面図である。
【図２】図１におけるII−II断面図である。
【図３】（ａ）は、図１の浸透式印鑑の可視インクで押印された印影部分の印影図であり、（ｂ）は、図１の浸透式印鑑の可視インクで押印された印影部分及び不可視インクで押印された印影部分について専用検証器で確認できる印影図である。
【図４】（ａ）は、他の実施形態に係る浸透式印鑑の印面を視た下面図である。（ｂ）は、図１の浸透式印鑑の可視インクで押印された印影部分の印影図であり、（ｃ）は、図１の浸透式印鑑の可視インクで押印された印影部分及び不可視インクで押印された印影部分について専用検証器で確認できる印影図である。
【符号の説明】
【００３２】
１Ａ、１Ｂ  浸透式印鑑
１１、２１  印字体等保持枠
１２、２２  第１の印字体
１３、２３  第２の印字体
１４  第１のインクタンク
１５  第２のインクタンク
１６、１７  インク補給口
ａ１、ａ２、ａ３  可視情報
ｂ  不可視情報
【図１】
2010120313.tif 000003
【図２】
2010120313.tif 000004
【図３】
2010120313.tif 000005
【図４】
2010120313.tif 000006